(57)【要約】【課題】カメラレンズ装置内に複数のカラー発光ダイオードを用いる光フィルター部を設けることにより、レンズ装置の種々のフィルター及びイメージ変化機能が果たせるように構成した携帯端末向けカメラレンズ装置を提供する。【解決手段】印刷回路基板と、前記印刷回路基板上にイメージセンサーと、赤外線フィルターと、カメラレンズを順次に配設してなるカメラレンズモジュールとを有するカメラレンズ装置であって、基体と、前記基体に取り付けられ、その内側に前記レンズモジュールを収容し、前記カメラレンズと対応する位置にレンズ開口を形成したレンズハウジング、及び前記レンズモジュールに隣接する位置に設けられ、前記レンズ開口を通じて発光された複数のカラー発光ダイオードからの多色のカラー光を選択的に通過または遮断させる光フィルター部と、から構成される。【選択図】図２
2006191559.tif 000002
【特許請求の範囲】
【請求項１】
印刷回路基板と、前記印刷回路基板上に、イメージセンサーと、赤外線フィルターと、カメラレンズを順次に配設してなるカメラレンズモジュールとを有するカメラレンズ装置であって、
基体と、
前記基体に取り付けられ、その内側に前記レンズモジュールを収容し、前記カメラレンズと対応する位置にレンズ開口を形成したレンズハウジング、及び
前記レンズモジュールに隣接する位置に設けられ、前記レンズ開口を通じて発光された複数のカラー発光ダイオードからの多色のカラー光を選択的に通過または遮断する光フィルター部と、から構成されることを特徴とする携帯端末向けカメラレンズ装置。
【請求項２】
前記光フィルター部が、
前記基体の上面の所定位置に設けられ、カラー光を発光する複数のカラー発光ダイオードと、
前記カラー発光ダイオードと対応する位置に設けられ、前記カラー発光ダイオードからのカラー光を前記レンズ開口に向けて屈折させるダイオード屈折板と、から構成されることを特徴とする請求項１記載の携帯端末向けカメラレンズ装置。
【請求項３】
前記印刷回路基板の上面には、前記イメージセンサーと赤外線フィルターを組み込み、該上面にはカメラレンズを備えるレンズマウントがさらに設けられることを特徴とする請求項１記載の携帯端末向けカメラレンズ装置。
【請求項４】
前記レンズハウジングの側壁面には、前記レンズマウントに設けられた係止部が係合し固定されるように係合ホールがさらに形成されることを特徴とする請求項１記載の携帯端末向けカメラレンズ装置。
【請求項５】
前記レンズ開口には光学ガラスが嵌挿されることを特徴とする請求項１記載の携帯端末向けカメラレンズ装置。
【請求項６】
前記レンズハウジングには、前記複数のカラー発光ダイオードとダイオード屈折板を収容することができるように収容空間がさらに形成されることを特徴とする請求項１記載の携帯端末向けカメラレンズ装置。
【請求項７】
前記複数のカラー発光ダイオードが、ホワイト、レッド、マゼンタ、イエロー、グリーン、シアンの６色からなることを特徴とする請求項２記載の携帯端末向けカメラレンズ装置。
【請求項８】
前記イエローの発光ダイオードが、前記レンズモジュールの撮影モードでの使用時にイエロー光を前記光学ガラスに照射すれば、被写体の明暗階調をユーザの目視感に近いトーンに再現させる校正用フィルターとして使われ、
前記レッドの発光ダイオードが、前記レンズモジュールの撮影モードでの使用時にレッド光を前記光学ガラスに照射すれば、特定の波長のみを強く透過ないし吸収するコントラストフィルターとして使われることを特徴とする請求項７記載の携帯端末向けカメラレンズ装置。
【請求項９】
カメラレンズモジュールにおいて、
基体と、
前記基体に取り付けられ、その内側に前記レンズモジュールを収容するレンズハウジング、及び
前記レンズモジュールに隣接する位置に設けられ、複数のカラー発光ダイオードからの多色のカラー光に応じて、前記レンズハウジング内に入射するカラー光を選択的に通過または遮断させる光フィルター部と、から構成されることを特徴とするカメラレンズ装置。
【発明の詳細な説明】
【技術分野】
【０００１】
本発明は、携帯端末向けカメラレンズ装置に関し、特に、カメラレンズ装置内に複数のカラー発光ダイオードを用いる光フィルター部を設けた携帯端末向けカメラレンズ装置に関する。
【背景技術】
【０００２】
一般に、撮像素子とは、ビデオカメラ、電子スチールカメラ、ＰＣカメラ端末、携帯端末、ＰＤＡなどにおけるイメージの認識のために設けられる撮像モジュールをいい、通常、上述の撮像モジュールをカメラレンズモジュールともいう。
【０００３】
また、画像通信のために従来の携帯端末では、撮影手段がカメラレンズを備えたカメラレンズモジュールを構成し、これにより相手と画像通信をしたり、所望の被写体を撮影したりすることができるようになる。
【０００４】
このように、前記ポータブル通信装置のパターンが、従来の単なる音声、文字送信の媒体機能を超えて現画像を瞬時に捉え、保存し、送信するカメラを搭載した高性能の複合機器に変わりつつある。
【０００５】
この種のカメラレンズモジュールは、レンズと絞りを介して被写体の像をイメージセンサーである高撮像素子で取り込み、これを信号変換器でデジタル信号に変換してメモリー部に保存する過程を施すような仕組みとなっている。
【０００６】
ここで、イメージセンサーはシーモス・イメージセンサーであり、前記シーモス・イメージセンサーは、制御回路及び信号処理回路を周辺回路として使うＣＭＯＳ技術を用いて画素数と同じＭＯＳトランジスターを作り、これを用いて順次に出力を検出するスイッチ方式を採用する素子である。シーモス・イメージセンサーは、省エネルギーという大きな長所を備えてことから、携帯電話などのパーソナル・ポータブル装置に非常に有用である。
【０００７】
ここで、図１に示すように、従来の携帯電話向けカメラレンズモジュール１は、印刷回路基板２上には、イメージセンサー３と、赤外線フィルター４（ＩＲ  ＦＩＬＴＥＲ）が順次に配設されている。前記イメージセンサー３と、赤外線フィルター４はレンズマウント５に組み込まれている。前記赤外線フィルター４上にはカメラレンズ６が設けられている。また、前記レンズマウント５上には、レンズ開口７ａが形成されたレンズホルダー７が設けられており、このレンズホルダー７に前記カメラレンズ６が収容されている。
【０００８】
フレキシブル回路８は、前記印刷回路基板２と電気的に接続されている。前記フレキシブル回路８には、端末本体（図示せず）に設けられたＣＰＵ（図示せず）と接続するためのコネクター９が設けられている。
【０００９】
前記カメラレンズモジュール１は、レンズ６の基本機能だけを使うものであるが、必要に応じ補助光源として、被写体の照度によってフラッシュ機能を果たす発光ダイオード（ＬＥＤ；図示せず）を更に備えることもできる。
【００１０】
また、従来の一般のカメラでは、レンズホルダーに形成された開口上に各種のフィルター（図示せず）を取り付け、様々な効果を得ることができる。
【００１１】
このように、カメラレンズは、様々なフィルター機能を果たす種々のフィルターをレンズ上に取り付けて使うことができる。
【００１２】
しかしながら、従来のカメラレンズモジュールは小型であって、レンズ上に種々のフィルターをさらに取り付ける場合、レンズの前部が突出するのみならず、破損され易く、体積及びサイズが大きくなってしまって小型化の阻害要因となっていた。また、レンズに最初から一種のフィルターを取り付けてモジュール形態で提供することができるが、既存のレンズ上にさらに様々な機能を果たす種々のフィルターをすべて取り付けることは現状では非常に難しい。
【発明の開示】
【発明が解決しようとする課題】
【００１３】
そこで、本発明は、前記のような従来の問題点を解決するためになされたものであって、その目的は、カメラレンズ装置内に複数のカラー発光ダイオードを用いる光フィルター部を設けることにより、レンズ装置の種々のフィルター及びイメージ変化機能が果たせるように構成した携帯端末向けカメラレンズ装置を提供することにある。
【００１４】
本発明の他の目的は、カメラレンズ装置内に種々のフィルター機能を果たす光フィルター部を設けることにより、別々に各種のフィルターをレンズにそれぞれ取り付ける必要がなく、カメラレンズ装置の体積及びサイズを軽減し小型化できるようにした携帯端末向けカメラレンズ装置を提供することにある。
【課題を解決するための手段】
【００１５】
前記のような目的を達成するために、本発明は、印刷回路基板と、前記印刷回路基板上にイメージセンサーと、赤外線フィルターと、カメラレンズを順次に配設してなるカメラレンズモジュールとを有するカメラレンズ装置であって、基体と、前記基体に取り付けられ、その内側に前記レンズモジュールを収容し、前記カメラレンズと対応する位置にレンズ開口を形成したレンズハウジング、及び前記レンズモジュールに隣接する位置に設けられ、前記レンズ開口を通じて発光された複数のカラー発光ダイオードからの多色のカラー光を選択的に通過または遮断する光フィルター部と、から構成されることを特徴とする。
【発明の効果】
【００１６】
本発明によれば、レンズ装置の種々のフィルター及びイメージ変化機能を果たすことができ、また、カメラレンズ装置内に種々のフィルター機能を果たす光フィルター部を設けることにより、別々に各種のフィルターをレンズにそれぞれ取り付ける必要がなく、カメラレンズ装置の体積及びサイズを軽減し小型化できるようにした携帯端末向けカメラレンズ装置を提供することができる。
【発明を実施するための最良の形態】
【００１７】
以下、添付図面を参照して、本発明の好適な一実施例について詳しく説明する。
【００１８】
図２及び図３に示すように、携帯端末向けカメラレンズ装置１０は、基体２０と、レンズハウジング３０と、光フィルター部４０とを備えている。前記基体２０は、カメラレンズモジュール１とレンズハウジング３０を取り付け可能とされている。前記レンズハウジング３０は、前記レンズモジュール１を収容可能とされており、前記カメラレンズ６と対応する位置にレンズ開口３１が形成され、前記基体２０の上面に取り付けられている。前記光フィルター部４０は、後述する複数のカラー発光ダイオード４１からのカラー光を、前記レンズ開口３１を通じて発光させ、前記カラー光に応じて入射する光を選択的に通過または遮断できるように前記レンズモジュール１に隣接する位置に設けられている。
【００１９】
また、図２に示すように、前記光フィルター部４０は、複数のカラー発光ダイオード４１と、ダイオード屈折板４２とからなり、前記カラー発光ダイオード４１は、多色のカラー光を発光することができるように前記基体２０の上面の所定位置に設けられている。前記ダイオード屈折板４２は、前記カラー発光ダイオード４１からのカラー光を前記レンズ開口３１に向けて屈折させることができるように前記カラー発光ダイオード４１と対向して配設されている。
【００２０】
また、図４に示すように、前記印刷回路基板２の上面には、前記イメージセンサー３と前記赤外線フィルター４が組み込まれている。印刷回路基板２の上面には、カメラレンズ６を保持するためのレンズマウント５０が取り付けられており、前記レンズハウジング３０の側壁面には、前記レンズマウント５０に設けられた係止部５１と係合し固定されるように係合ホール３２が形成されている。
【００２１】
また、図５に示すように、前記レンズ開口３１内には、前記カラー発光ダイオード４１からの光を透過ないし吸収すべく光学ガラス６０が設けられており、前記レンズハウジング３０内には、前記複数のカラー発光ダイオード４１とダイオード屈折板４２が収容できるように収容空間３３が形成されている。
【００２２】
また、図５に示すように、前記複数のカラー発光ダイオード４１は、ホワイト、レッド、マゼンタ、イエロー、グリーン、シアンの６色からなる。
【００２３】
また、前記イエローの発光ダイオード４１は、前記カメラレンズ装置１０の撮影モードでの使用時にイエロー光を前記光学ガラス６０に照射すれば、被写体の明暗階調をユーザの目視感に近いトーンに再現できるように校正用フィルターとして使うことができ、前記レッドの発光ダイオード４１は、前記レンズモジュール１の撮影モードでの使用時にレッド光を前記光学ガラス６０に照射すれば、特定の波長のみを強く透過ないし吸収できるようにコントラストフィルターとして使うことができる。
【００２４】
前記のような構成を有する本発明の好適な一実施例に係る携帯端末向けカメラレンズ装置の動作過程を、添付した図２ないし図５を参照してより詳述すれば、次のとおりである。
【００２５】
図２及び図３に示すように、基体２０の上面に、印刷回路基板２とイメージセンサー３と、赤外線フィルター４と、カメラレンズ６を順次に配設し、この状態で、前記基体２０に前記レンズハウジング３０を取り付ける。
【００２６】
このとき、前記レンズハウジング３０に形成されたレンズ開口３１を、前記カメラレンズ６と向かい合うように位置させる。
【００２７】
このとき、前記基体２０の上面の所定位置には、複数のカラー発光ダイオード４１からの多色のカラー光を、前記レンズ開口３１を通じて発光させ、前記カラー光に応じて前記カメラレンズ６を介して入射される光を選択的に通過または遮断させる光フィルター部４０が設けられている。
【００２８】
このとき、図５に示すように、前記レンズ開口３１には、光学ガラス６０が内挿される。
【００２９】
この状態で、図４に示すように、前記レンズハウジング３０の側壁面には、前記レンズマウント５０に設けられた係止部５１と係合し固定されるように係合ホール３２が形成されているため、前記レンズハウジング３０の前記基体２０への取り付け時、前記レンズハウジング３０の係合ホール３２に前記レンズマウント５０の係止部５１が係合し固定される。
【００３０】
ここで、前記カラー発光ダイオード４１は、ホワイト、レッド、マゼンタ、イエロー、グリーン、シアンの６色からなる。
【００３１】
この状態で、図４及び図５に示すように、ユーザが前記カメラレンズ装置１０を撮影モードで使う時に前記光フィルター部４０を校正用フィルターとして使う場合、前記レンズハウジング３０内に組み込まれた前記イエローの発光ダイオード４１を作動させ、前記イエロー光を前記ダイオード屈折板によって屈折させて前記光学ガラス６０に向けて照射する。
【００３２】
このとき、前記光学ガラス６０の下部側を前記イエロー光が照射し、この状態で被写体の明暗階調がユーザの目視感に近いトーンに再現される。
【００３３】
ここで、ユーザが前記カメラレンズ装置１０を撮影モードで使う時に前記光フィルター部４０をコントラストフィルターとして使う場合、前記レンズハウジング３０内に組み込まれた前記レッドの発光ダイオード４１を作動させ、前記レッド光を前記ダイオード屈折板４２によって屈折させて前記光学ガラス６０に向けて照射する。
【００３４】
このとき、前記光学ガラス６０の下部側を前記赤色光が照射し、この状態で特定の波長のみを強く透過ないし吸収することができる。
【００３５】
上述したように、複数のカラー発光ダイオードを用いて前記カメラレンズ装置の種々のフィルター及びイメージ変化機能を果たすことができる。
【００３６】
以上で説明した本発明の携帯端末向けカメラレンズ装置は、上述した実施例及び図面によって限定されるものではなく、本発明の技術的思想を逸脱しない範囲内で種々の置換、変形及び変更が可能であることは本発明の属する技術分野における通常の知識を有する者にとって自明である。
【図面の簡単な説明】
【００３７】
【図１】従来のカメラレンズモジュールを示した側断面図である。
【図２】本発明の一実施例に係る携帯端末向けカメラレンズ装置の構成を示した分解斜視図である。
【図３】本発明の一事実施例に係る携帯端末向けカメラレンズ装置の結合状態を示した斜視図である。
【図４】本発明の一事実施例に係る携帯端末向けカメラレンズ装置の作動状態を示した断面斜視図である。
【図５】本発明の一事実施例に係る携帯端末向けカメラレンズ装置の作動状態を示した側断面図である。
【符号の説明】
【００３８】
１  レンズモジュール
２  印刷回路基板
１０  カメラレンズ装置
２０  基体
３０  レンズハウジング
３１  レンズ開口
４０  光フィルター部
４１  カラー発光ダイオード
４２  ダイオード屈折板
【図１】
2006191559.tif 000003
【図２】
2006191559.tif 000004
【図３】
2006191559.tif 000005
【図４】
2006191559.tif 000006
【図５】
2006191559.tif 000007